(57)【特許請求の範囲】
【請求項１】
トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が逆で、前記露光器のレーザー照射方向と印字用紙の搬送方向が逆方向であるとき、元の画像データ全体のうち一番下のブロックから画像データ格納メモリに画像データを格納していくことを特徴とする画像データ格納方法。
【請求項２】
トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が逆で、前記露光器のレーザー照射方向と印字用紙の搬送方向が同一方向であるとき、元の画像データ全体のうち一番上のブロックから画像データ格納メモリに画像データを格納していくことを特徴とする画像データ格納方法。
【請求項３】
トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が同じで、前記露光器のレーザー照射方向と印字用紙の搬送方向が同一方向であるとき、元の画像データ全体のうち一番下のブロックから画像データ格納メモリに画像データを格納していくことを特徴とする画像データ格納方法。
【請求項４】
トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が同じで、前記露光器のレーザー照射方向と印字用紙の搬送方向が逆方向であるとき、元の画像データ全体のうち一番上のブロックから画像データ格納メモリに画像データを格納していくことを特徴とする画像データ格納方法。
【発明の詳細な説明】
【０００１】
【発明の属する技術分野】
本発明は、トナー像を印字用紙へ転写する際に印字用紙の搬送方向と直交する方向に転写する直交転写方式を用いた画像形成装置における画像データ格納方法に関する。
【０００２】
【従来の技術】
近年、レーザープリンタに代表されるように、高解像度で鮮明な画像を形成できるトナー方式の画像形成装置が普及してきている。このようなトナー方式の画像形成装置の中でも、特願平７−３２８６００号で提案されているように、印字用紙の搬送方向と直交する方向へトナー像担持体を移動させながらトナー像担持体を印字用紙へ擦り付け、１工程ずつ小刻みにトナー像の転写を行う直交転写方式の画像形成装置は、その構成上、製品の小型化を推進するのに大変適している。以下、このような直交転写方式による一般的な画像形成装置について、図２５〜図２７を用いて説明する。
【０００３】
図２５は直交転写方式の一般的な画像形成装置を示す構成図であり、図２６は直交転写方式の一般的な画像形成装置の転写機構を示す概略斜視図、図２７は直交転写方式の一般的な画像形成装置の転写機構を示す構成図である。図２５〜図２７において、１はトナー像担持体、２は帯電器、３は現像器、３ａはトナー、３ｂは現像ローラ、３ｃはトナー像、４はクリーニング器、５は除電器、６は露光器、７は印字用紙、８は転写対向ローラ、９ａ〜９ｃはトナー像担持体ローラ、１０は転写プレート、１１は用紙搬送ローラである。
【０００４】
以上のように構成された画像形成装置について、その配置、動作等を説明する。図２５に示すように、表面が有機光導電性材料の層でコーティングされたトナー像担持体１は、トナー像担持体ローラ９ａ〜９ｃ及び転写対向ローラ８によって支持されているとともに、矢印Ａの方向に回動可能となっている。トナー像担持体１の回動方向には、クリーニング器４、除電器５、帯電器２、露光器６、現像器３が順に配置され、現像器３の内部にはトナー３ａが収納されている。また、印字用紙７は転写プレート１０上に支持され、図２６に示すように、用紙搬送ローラ１１によって、トナー像担持体１が回動する矢印Ａの方向とは直交する方向（印字用紙搬送方向）Ｘに搬送される。
【０００５】
以上のように構成された画像形成装置について、その動作を説明する。画像形成装置の制御部（図示せず）から画像形成動作が指示されると、トナー像担持体ローラ駆動部（図示せず）によりトナー像担持体ローラ９ａ〜９ｃが回転し、トナー像担持体１が矢印Ａの方向に回動を始める。トナー像担持体１は、まず、形成する画像の内容に応じて帯電器２によりその表面が帯電された後、画像データ格納メモリ（図示せず）から読み出された画像データに従って露光器６から照射されるレーザー光６ａによって、帯電された部分に静電潜像が形成される。
【０００６】
トナー像担持体１の静電潜像が形成された部分が現像器３の位置に至ると、現像器３に配置された現像ローラ３ｂは、現像ローラ駆動部（図示せず）により回転するとともに、トナー像担持体１に当接する。これにより、トナー像担持体１が現像ローラ３ｂとトナー像担持体ローラ９ｂとの間で挟持されて移動する間に、現像ローラ３ｂの表面に付着したトナー３ａによって静電潜像が現像され、トナー像担持体１上にトナー像３ｃが形成される。
【０００７】
上記動作により、トナー像担持体１上に転写１回分に相当するトナー像３ｃが形成されると、トナー像担持体１から印字用紙７上へのトナー像３ｃの転写が行われる。トナー像３ｃの転写の際には、まずトナー像担持体１上に形成されたトナー像３ｃの先端部分ｐ１が印字用紙７の画像形成領域の端部ｐ２と略同位置となったところで、トナー像担持体ローラ９ａ〜９ｃの回転が休止してトナー像担持体１の回動が止まる。
【０００８】
次に、用紙搬送ローラ駆動部（図示せず）により用紙搬送ローラ１１が回転することにより、図２６に示すように、印字用紙７が転写プレート１０上をトナー像担持体１の回動方向と直交する方向（Ｘ方向）に所定の位置まで搬送される。印字用紙７の搬送が終了すると、転写対向ローラ駆動部（図示せず）により、転写対向ローラ８が図２６、図２７に示すように矢印Ｂ方向に、転写開始位置ｐ３から転写終了位置ｐ４まで印字用紙７に沿って平行移動する。この転写対向ローラ８の平行移動の間に、転写対向ローラ８によってトナー像担持体１が順次印字用紙７に押圧され、転写プレート１０全体にトナー像と逆極性の転写バイアスを印加することにより、トナー像担持体１上のトナー像３ｃが印字用紙７上に転写される。
【０００９】
トナー像の転写が終了すると、用紙搬送ローラ１１が再び回転して、画像が形成された印字用紙７を排出する。印字用紙７の排出が終了すると、トナー像担持体１は再び回動を始め、トナー像担持体１上のトナー像３ｃが転写された部分は、クリーニング器４によりトナー像担持体１上に残留するトナーが除去された後、除電器５によりトナー像担持体１上の電荷が消失される。
【００１０】
以上のようにして、１枚の印字用紙７に文字や図形等の所定の画像が形成され、必要に応じて同様な画像形成動作が順次繰り返される。
【００１１】
【発明が解決しようとする課題】
しかしながら、上記従来の画像形成方法では、レーザー照射方向と現像器の色の配置方向の関係と、画像データ格納メモリの読出し方向と画像データ格納メモリの色の配置方向の関係とが同じである場合に、画像データ格納メモリに画像データを格納する色の順番と読み出す色の順番の関係（格納読出し関係）と、露光器のレーザー照射方向と印字用紙の搬送方向の関係（露光印字関係）とが変化したときに画像データの画像データ格納メモリへの格納方法を変えることについては考慮されておらず、上記格納読出し関係、露光印字関係が内容的に変化した場合には画像配置順序の混乱が生じるおそれがあるという課題を有していた。
【００１２】
本発明は、画像データ格納メモリに画像データを格納する色の順番と読み出す色の順番の関係と、露光器のレーザー照射方向と印字用紙の搬送方向の関係とに応じた順番で画像データを画像データ格納メモリに格納することができ、画像を確実に再現できる画像データ格納方法を提供することを目的とする。
【００１３】
【課題を解決するための手段】
この課題を解決するために本発明の画像データ格納方法は、トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が逆で、露光器のレーザー照射方向と印字用紙の搬送方向が逆方向であるとき、元の画像データ全体のうち一番下のブロックから画像データ格納メモリに画像データを格納していく構成を備えている。
【００１４】
これにより、画像データ格納メモリに画像データを格納する色の順番と読み出す色の順番の関係と、露光器のレーザー照射方向と印字用紙の搬送方向の関係とに応じた順番で画像データを画像データ格納メモリに格納することができ、画像を確実に再現できる画像データ格納方法が得られる。
【００１５】
【発明の実施の形態】
本発明の請求項１に記載の発明は、トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が逆で、露光器のレーザー照射方向と印字用紙の搬送方向が逆方向であるとき、元の画像データ全体のうち一番下のブロックから画像データ格納メモリに画像データを格納していくこととしたものであり、画像データ格納メモリに画像データを格納する色の順番と読み出す色の順番の関係と、露光器のレーザー照射方向と印字用紙の搬送方向の関係とに応じた順番で画像データが画像データ格納メモリに格納され、画像配置順序の混乱なく現像が行われるという作用を有する。
【００１６】
請求項２に記載の発明は、トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が逆で、露光器のレーザー照射方向と印字用紙の搬送方向が同一方向であるとき、元の画像データ全体のうち一番上のブロックから画像データ格納メモリに画像データを格納していくこととしたものであり、画像データ格納メモリに画像データを格納する色の順番と読み出す色の順番の関係と、露光器のレーザー照射方向と印字用紙の搬送方向の関係とに応じた順番で画像データが画像データ格納メモリに格納され、画像配置順序の混乱なく現像が行われるという作用を有する。
【００１７】
請求項３に記載の発明は、トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が同じで、露光器のレーザー照射方向と印字用紙の搬送方向が同一方向であるとき、元の画像データ全体のうち一番下のブロックから画像データ格納メモリに画像データを格納していくこととしたものであり、画像データ格納メモリに画像データを格納する色の順番と読み出す色の順番の関係と、露光器のレーザー照射方向と印字用紙の搬送方向の関係とに応じた順番で画像データが画像データ格納メモリに格納され、画像配置順序の混乱なく現像が行われるという作用を有する。
【００１８】
請求項４に記載の発明は、トナー像担持体に担持されたトナー像を印字用紙の搬送方向と直交する方向に印字用紙へ転写し、印字用紙に転写されたトナー像を定着させる直交転写方式の画像形成装置における画像データ格納方法であって、露光器のレーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が同じで、露光器のレーザー照射方向と印字用紙の搬送方向が逆方向であるとき、元の画像データ全体のうち一番上のブロックから画像データ格納メモリに画像データを格納していくこととしたものであり、画像データ格納メモリに画像データを格納する色の順番と読み出す色の順番の関係と、露光器のレーザー照射方向と印字用紙の搬送方向の関係とに応じた順番で画像データが画像データ格納メモリに格納され、画像配置順序の混乱なく現像が行われるという作用を有する。
【００１９】
以下、本発明の実施の形態について、図１〜図２４を用いて説明する。
（実施の形態１）
図１は、本発明の実施の形態１による画像データ格納方法が適用される場合のレーザー照射方向Ｌ、印字用紙搬送方向Ｘ、現像器配置を示す配置方向説明図である。図１において、トナー像担持体１、現像器３、露光器としてのレーザーユニット６、印字用紙７は図２５〜図２７と同様のものなので、同一符号を付し、説明は省略する。
【００２０】
本実施の形態１による画像データ格納方法について、図１〜図６を用いて説明する。図２は画像データ格納メモリにおける各色成分の格納エリアを示す格納配置図であり、図３〜図６は画像データの格納配置を示す格納配置図である。図２〜図６において、１２は画像データ格納メモリ、１３は元の画像のブロック配置である。
【００２１】
図１に示すように、本実施の形態１では、印字用紙７の搬送方向Ｘとレーザー照射方向Ｌとが逆方向である。或る１ページの画像を印字しようとする場合にはまず、元の画像データをＹ、Ｍ、Ｃ、Ｋの４色の成分に分解する。次に、各色１回の現像分のブロックに区切る。図２に示すように画像データ格納メモリ１２はアドレスの小さい方からＫ、Ｃ、Ｍ、Ｙの順に割り当てられているとすると、現像器３の４色のトナーの配置が印字用紙７の進入側からＫ、Ｃ、Ｍ、Ｙの順になっていなければならない。これは、画像データ格納メモリ１２からの画像データの読出しは図２に示すように左下から１列毎に上へ進み（図２の▲１▼）、順次右へ進んでいく（▲２▼）ようになっているからであり、これがそのままレーザーの照射につながっているのである。これにより、画像データ格納メモリ１２に格納した画像データ通りの状態で印字用紙７に画像が形成されていく。ただし、トナー像担持体１上にはトナー像が逆さまに形成されるので、印字用紙７の下側から画像が形成されていく。よって、元の画像の下側から画像データを画像データ格納メモリ１２に格納していかなければならない。つまり、１回目の現像では図３に示すように元の画像をＮ個のブロックに分割したときのＮ番目のブロックのＫの画像データのみ画像データ格納メモリ１２のＫ成分格納エリアに格納し、２回目の現像では図４に示すように元の画像のＮ番目のブロックのＣの画像データと（Ｎ−１）番目のブロックのＫの画像データとをＣ、Ｋ成分格納エリアに、３回目の現像では図５に示すように元の画像のＮ番目のブロックのＭの画像データと（Ｎ−１）番目のブロックのＣの画像データと（Ｎ−２）番目のブロックのＫの画像データとをＭ、Ｃ、Ｋ成分格納エリアに、４回目の現像では図６に示すように元の画像のＮ番目のブロックのＹの画像データと（Ｎ−１）番目のブロックのＭの画像データと（Ｎ−２）番目のブロックのＣの画像データと（Ｎ−３）番目のブロックのＫの画像データとをＹ、Ｍ、Ｃ、Ｋ成分格納エリアに格納する。このように、元の画像の下側から順次画像データを送ればよい。
【００２２】
以上のように本実施の形態１によれば、レーザー照射方向Ｌと現像器３の色の配置方向の関係と、画像データ格納メモリ１２の読出し方向と画像データ格納メモリ１２の色の配置方向の関係とが同じであり（Ｙ、Ｍ、Ｃ、Ｋの関係で同じであり）、画像データ格納メモリ１２に画像データを格納する色の順番（Ｋ、Ｃ、Ｍ、Ｙの順番）と読み出す色の順番（Ｙ、Ｍ、Ｃ、Ｋの順番）が逆で、露光器６の露光順序方向Ｌと印字用紙７の搬送方向Ｘが逆方向であるとき、元の画像データ全体のうち一番下のブロック（ブロックＮ）から画像データ格納メモリ１２に画像データを格納していくようにしたので、画像データ格納メモリ１２に画像データを格納する色の順番と読み出す色の順番の関係と、露光器６の露光順序方向と印字用紙７の搬送方向の関係とに応じた順番、つまり一番下のブロックから画像データが画像データ格納メモリ１２に格納され、画像配置順序の混乱なく現像を行うことができる。
【００２３】
（実施の形態２）
図７は、本発明の実施の形態２による画像データ格納方法が適用される場合のレーザー照射方向Ｌ、印字用紙搬送方向Ｘ、現像器配置を示す配置方向説明図である。図７において、トナー像担持体１、現像器３、露光器としてのレーザーユニット６、印字用紙７は図１と同様のものなので、同一符号を付し、説明は省略する。
【００２４】
本実施の形態２による画像データ格納方法について、図７、図８を用いて説明する。図８は画像データ格納メモリにおける各色成分の格納エリアを示す格納配置図である。図８において、１２は画像データ格納メモリである。
【００２５】
図７に示すように、本実施の形態２では、印字用紙７の搬送方向Ｘとレーザー照射方向Ｌとが逆方向である。或る１ページの画像を印字しようとする場合にはまず、元の画像データをＹ、Ｍ、Ｃ、Ｋの４色の成分に分解する。次に、各色１回の現像分のブロックに区切る。図８に示すように画像データ格納メモリ１２はアドレスの小さい方からＫ、Ｃ、Ｍ、Ｙの順に割り当てられているとすると、現像器３の４色のトナーの配置が印字用紙７の進入側からＫ、Ｃ、Ｍ、Ｙの順になっていなければならない。これは、画像データ格納メモリ１２からの画像データの読出しは図８に示すように右下から１列毎に上へ進み（図８の▲１▼）、順次左へ進んでいく（▲２▼）ようになっているからであり、これがそのままレーザーの照射につながっているのである。これにより、画像データ格納メモリ１２に格納した画像データ通りの状態で印字用紙７の下側から画像が形成されていく。よって、元の画像の下側から画像データを画像データ格納メモリ１２に格納していかなければならず、画像データ格納メモリ１２への画像データの格納順序は実施の形態１と同様となる。
【００２６】
以上のように本実施の形態２によれば、レーザー照射方向Ｌと現像器３の色の配置方向の関係と、画像データ格納メモリ１２の読出し方向と画像データ格納メモリ１２の色の配置方向の関係とが同じであり（Ｙ、Ｍ、Ｃ、Ｋの関係で同じであり）、画像データ格納メモリ１２に画像データを格納する色の順番（Ｋ、Ｃ、Ｍ、Ｙの順番）と読み出す色の順番（Ｙ、Ｍ、Ｃ、Ｋの順番）が逆で、露光器６の露光順序方向Ｌと印字用紙７の搬送方向Ｘが逆方向であるとき、元の画像データ全体のうち一番下のブロック（ブロックＮ）から画像データ格納メモリ１２に画像データを格納していくようにしたので、画像データ格納メモリ１２に画像データを格納する色の順番と読み出す色の順番の関係と、露光器６の露光順序方向と印字用紙７の搬送方向の関係とに応じた順番、つまり一番下のブロックから画像データが画像データ格納メモリ１２に格納され、画像配置順序の混乱なく現像を行うことができる。
【００２７】
（実施の形態３）
図９は、本発明の実施の形態３による画像データ格納方法が適用される場合のレーザー照射方向Ｌ、印字用紙搬送方向Ｘ、現像器配置を示す配置方向説明図である。図９において、トナー像担持体１、現像器３、露光器としてのレーザーユニット６、印字用紙７は図１と同様のものなので、同一符号を付し、説明は省略する。本実施の形態３による画像データ格納方法について、図９、図１０〜図１４を用いて説明する。図１０は画像データ格納メモリにおける各色成分の格納エリアを示す格納配置図であり、図１１〜図１４は画像データの格納配置を示す格納配置図である。図１０〜図１４において、１２は画像データ格納メモリ、１３は元の画像のブロック配置である。
【００２８】
図９に示すように、本実施の形態３では、印字用紙７の搬送方向Ｘとレーザー照射方向Ｌとが同一方向である。或る１ページの画像を印字しようとする場合にはまず、元の画像データをＹ、Ｍ、Ｃ、Ｋの４色の成分に分解する。次に、各色１回の現像分のブロックに区切る。図１０に示すように画像データ格納メモリ１２はアドレスの小さい方からＫ、Ｃ、Ｍ、Ｙの順に割り当てられているとすると、現像器３の４色のトナーの配置が印字用紙７の進入側からＹ、Ｍ、Ｃ、Ｋの順になっていなければならない。これは、画像データ格納メモリ１２からの画像データの読出しは図１０に示すように左下から１列毎に上へ進み（図１０の▲１▼）、順次右へ進んでいく（▲２▼）ようになっているからであり、これがそのままレーザーの照射につながっているのである。これにより、画像データ格納メモリ１２に格納した画像データ通りの状態で印字用紙７に画像が形成されていく。ただし、トナー像担持体１上にはトナー像は逆さまに形成されるので、印字用紙７の上側から画像が形成されていく。よって、元の画像の上側から画像データを画像データ格納メモリ１２に格納していかなければならない。つまり、１回目の現像では図１１に示すように元の画像をＮ個のブロックに分割したときの１番目のブロックのＹの画像データのみ画像データ格納メモリ１２のＹ成分格納エリアに格納し、２回目の現像では図１２に示すように元の画像の１番目のブロックのＭの画像データと２番目のブロックのＹの画像データとをＭ、Ｙ成分格納エリアに、３回目の現像では図１３に示すように元の画像の１番目のブロックのＣの画像データと２番目のブロックのＭの画像データと３番目のブロックのＹの画像データとをＣ、Ｍ、Ｙ成分格納エリアに、４回目の現像では図１４に示すように元の画像の１番目のブロックのＫの画像データと２番目のブロックのＣの画像データと３番目のブロックのＭの画像データと４番目のブロックのＹの画像データとをＫ、Ｃ、Ｍ、Ｙ成分格納エリアに格納する。このように、元の画像の上側から順次画像データを送ればよい。
【００２９】
以上のように本実施の形態３によれば、レーザー照射方向Ｌと現像器３の色の配置方向の関係と、画像データ格納メモリ１２の読出し方向と画像データ格納メモリ１２の色の配置方向の関係とが同じであり（Ｙ、Ｍ、Ｃ、Ｋの関係で同じであり）、画像データ格納メモリ１２に画像データを格納する色の順番（Ｋ、Ｃ、Ｍ、Ｙの順番）と読み出す色の順番（Ｙ、Ｍ、Ｃ、Ｋの順番）が逆で、露光器６の露光順序方向Ｌと印字用紙７の搬送方向Ｘが同一方向であるとき、元の画像データ全体のうち一番上のブロック（ブロック１）から画像データ格納メモリ１２に画像データを格納していくようにしたので、画像データ格納メモリ１２に画像データを格納する色の順番と読み出す色の順番の関係と、露光器６の露光順序方向と印字用紙７の搬送方向の関係とに応じた順番、つまり一番上のブロックから画像データが画像データ格納メモリ１２に格納され、画像配置順序の混乱なく現像を行うことができる。
【００３０】
（実施の形態４）
図１５は、本発明の実施の形態４による画像データ格納方法が適用される場合のレーザー照射方向Ｌ、印字用紙搬送方向Ｘ、現像器配置を示す配置方向説明図である。図１５において、トナー像担持体１、現像器３、露光器としてのレーザーユニット６、印字用紙７は図１と同様のものなので、同一符号を付し、説明は省略する。
【００３１】
本実施の形態４による画像データ格納方法について、図１５、図１６を用いて説明する。図１６は画像データ格納メモリにおける各色成分の格納エリアを示す格納配置図である。図１６において、１２は画像データ格納メモリである。
【００３２】
図１５に示すように、本実施の形態４では、印字用紙７の搬送方向Ｘとレーザー照射方向Ｌとが同一方向である。或る１ページの画像を印字しようとする場合にはまず、元の画像データをＹ、Ｍ、Ｃ、Ｋの４色の成分に分解する。次に、各色１回の現像分のブロックに区切る。図１６に示すように画像データ格納メモリ１２はアドレスの小さい方からＫ、Ｃ、Ｍ、Ｙの順に割り当てられているとすると、現像器３の４色のトナーの配置が印字用紙７の進入側からＹ、Ｍ、Ｃ、Ｋの順になっていなければならない。これは、画像データ格納メモリ１２からの画像データの読出しは図１６に示すように右下から１列毎に上へ進み（図１６の▲１▼）、順次左へ進んでいく（▲２▼）ようになっているからであり、これがそのままレーザーの照射につながっているのである。これにより、画像データ格納メモリ１２に格納した画像データ通りの状態で印字用紙７の上側から画像が形成されていく。よって、元の画像の上側から画像データを画像データ格納メモリ１２に格納していかなければならず、画像データ格納メモリ１２への画像データの格納順序は実施の形態３と同様となる。
【００３３】
以上のように本実施の形態４によれば、レーザー照射方向Ｌと現像器３の色の配置方向の関係と、画像データ格納メモリ１２の読出し方向と画像データ格納メモリ１２の色の配置方向の関係とが同じであり（Ｙ、Ｍ、Ｃ、Ｋの関係で同じであり）、画像データ格納メモリ１２に画像データを格納する色の順番（Ｋ、Ｃ、Ｍ、Ｙの順番）と読み出す色の順番（Ｙ、Ｍ、Ｃ、Ｋの順番）が逆で、露光器６の露光順序方向Ｌと印字用紙７の搬送方向Ｘが同一方向であるとき、元の画像データ全体のうち一番上のブロック（ブロック１）から画像データ格納メモリ１２に画像データを格納していくようにしたので、画像データ格納メモリ１２に画像データを格納する色の順番と読み出す色の順番の関係と、露光器６の露光順序方向と印字用紙７の搬送方向の関係とに応じた順番、つまり一番上のブロックから画像データが画像データ格納メモリ１２に格納され、画像配置順序の混乱なく現像を行うことができる。
【００３４】
（実施の形態５）
図１７は、本発明の実施の形態５による画像データ格納方法が適用される場合のレーザー照射方向Ｌ、印字用紙搬送方向Ｘ、現像器配置を示す配置方向説明図である。図１７において、トナー像担持体１、現像器３、露光器としてのレーザーユニット６、印字用紙７は図１と同様のものなので、同一符号を付し、説明は省略する。
【００３５】
本実施の形態５による画像データ格納方法について、図１７、図１８を用いて説明する。図１８は画像データ格納メモリにおける各色成分の格納エリアを示す格納配置図である。図１８において、１２は画像データ格納メモリである。
【００３６】
図１７に示すように、本実施の形態５では、印字用紙７の搬送方向Ｘとレーザー照射方向Ｌとが同一方向である。或る１ページの画像を印字しようとする場合にはまず、元の画像データをＹ、Ｍ、Ｃ、Ｋの４色の成分に分解する。次に、各色１回の現像分のブロックに区切る。図１８に示すように画像データ格納メモリ１２はアドレスの小さい方からＫ、Ｃ、Ｍ、Ｙの順に割り当てられているとすると、現像器３の４色のトナーの配置が印字用紙７の進入側からＫ、Ｃ、Ｍ、Ｙの順になっていなければならない。これは、画像データ格納メモリ１２からの画像データの読出しは図１８に示すように左上から１列毎に下へ進み（図１８の▲１▼）、順次右へ進んでいく（▲２▼）ようになっているからであり、これがそのままレーザーの照射につながっているのである。これにより、画像データ格納メモリ１２に格納した画像データ通りの状態で印字用紙７に画像が形成されていく。ただし、トナー像担持体１上にはトナー像は逆さまに形成されるので、印字用紙７の下側から画像が形成されていく。よって、元の画像の下側から画像データを画像データ格納メモリ１２に格納していかなければならず、画像データ格納メモリ１２への画像データの格納順序は実施の形態１と同様となる。
【００３７】
以上のように本実施の形態５によれば、レーザー照射方向Ｌと現像器３の色の配置方向の関係と、画像データ格納メモリ１２の読出し方向と画像データ格納メモリ１２の色の配置方向の関係とが同じであり（Ｋ、Ｃ、Ｍ、Ｙの関係で同じであり）、画像データ格納メモリ１２に画像データを格納する色の順番（Ｋ、Ｃ、Ｍ、Ｙの順番）と読み出す色の順番（Ｋ、Ｃ、Ｍ、Ｙの順番）が同一で、露光器６の露光順序方向Ｌと印字用紙７の搬送方向Ｘが同一方向であるとき、元の画像データ全体のうち一番下のブロック（ブロックＮ）から画像データ格納メモリ１２に画像データを格納していくようにしたので、画像データ格納メモリ１２に画像データを格納する色の順番と読み出す色の順番の関係と、露光器６の露光順序方向と印字用紙７の搬送方向の関係とに応じた順番、つまり一番下のブロックから画像データが画像データ格納メモリ１２に格納され、画像配置順序の混乱なく現像を行うことができる。
【００３８】
（実施の形態６）
図１９は、本発明の実施の形態６による画像データ格納方法が適用される場合のレーザー照射方向Ｌ、印字用紙搬送方向Ｘ、現像器配置を示す配置方向説明図である。図１９において、トナー像担持体１、現像器３、露光器としてのレーザーユニット６、印字用紙７は図１と同様のものなので、同一符号を付し、説明は省略する。
【００３９】
本実施の形態６による画像データ格納方法について、図１９、図２０を用いて説明する。図２０は画像データ格納メモリにおける各色成分の格納エリアを示す格納配置図である。図２０において、１２は画像データ格納メモリである。
【００４０】
図１９に示すように、本実施の形態６では、印字用紙７の搬送方向Ｘとレーザー照射方向Ｌとが同一方向である。或る１ページの画像を印字しようとする場合にはまず、元の画像データをＹ、Ｍ、Ｃ、Ｋの４色の成分に分解する。次に、各色１回の現像分のブロックに区切る。図２０に示すように画像データ格納メモリ１２はアドレスの小さい方からＫ、Ｃ、Ｍ、Ｙの順に割り当てられているとすると、現像器３の４色のトナーの配置が印字用紙７の進入側からＫ、Ｃ、Ｍ、Ｙの順になっていなければならない。これは、画像データ格納メモリ１２からの画像データの読出しは図２０に示すように右上から１列毎に下へ進み（図２０の▲１▼）、順次左へ進んでいく（▲２▼）ようになっているからであり、これがそのままレーザーの照射につながっているのである。これにより、画像データ格納メモリ１２に格納した画像データ通りの状態で印字用紙７の下側から画像が形成されていく。よって、元の画像の下側から画像データを画像データ格納メモリ１２に格納していかなければならず、画像データ格納メモリ１２への画像データの格納順序は実施の形態１と同様となる。
【００４１】
以上のように本実施の形態６によれば、レーザー照射方向Ｌと現像器３の色の配置方向の関係と、画像データ格納メモリ１２の読出し方向と画像データ格納メモリ１２の色の配置方向の関係とが同じであり（Ｋ、Ｃ、Ｍ、Ｙの関係で同じであり）、画像データ格納メモリ１２に画像データを格納する色の順番（Ｋ、Ｃ、Ｍ、Ｙの順番）と読み出す色の順番（Ｋ、Ｃ、Ｍ、Ｙの順番）が同一で、露光器６の露光順序方向Ｌと印字用紙７の搬送方向Ｘが同一方向であるとき、元の画像データ全体のうち一番下のブロック（ブロックＮ）から画像データ格納メモリ１２に画像データを格納していくようにしたので、画像データ格納メモリ１２に画像データを格納する色の順番と読み出す色の順番の関係と、露光器６の露光順序方向と印字用紙７の搬送方向の関係とに応じた順番、つまり一番下のブロックから画像データが画像データ格納メモリ１２に格納され、画像配置順序の混乱なく現像を行うことができる。
【００４２】
（実施の形態７）
図２１は、本発明の実施の形態７による画像データ格納方法が適用される場合のレーザー照射方向Ｌ、印字用紙搬送方向Ｘ、現像器配置を示す配置方向説明図である。図２１において、トナー像担持体１、現像器３、露光器としてのレーザーユニット６、印字用紙７は図１と同様のものなので、同一符号を付し、説明は省略する。
【００４３】
本実施の形態７による画像データ格納方法について、図２１、図２２を用いて説明する。図２２は画像データ格納メモリにおける各色成分の格納エリアを示す格納配置図である。図２２において、１２は画像データ格納メモリである。
【００４４】
図２１に示すように、本実施の形態７では、印字用紙７の搬送方向Ｘとレーザー照射方向Ｌとが逆方向である。或る１ページの画像を印字しようとする場合にはまず、元の画像データをＹ、Ｍ、Ｃ、Ｋの４色の成分に分解する。次に、各色１回の現像分のブロックに区切る。図２２に示すように画像データ格納メモリ１２はアドレスの小さい方からＫ、Ｃ、Ｍ、Ｙの順に割り当てられているとすると、現像器３の４色のトナーの配置が印字用紙７の進入側からＹ、Ｍ、Ｃ、Ｋの順になっていなければならない。これは、画像データ格納メモリ１２からの画像データの読出しは図２２に示すように左上から１列毎に下へ進み（図２２の▲１▼）、順次右へ進んでいく（▲２▼）ようになっているからであり、これがそのままレーザーの照射につながっているのである。これにより、画像データ格納メモリ１２に格納した画像データ通りの状態で印字用紙７に画像が形成されていく。ただし、トナー像担持体１上にはトナー像は逆さまに形成されるので、印字用紙７の上側から画像が形成されていく。よって、元の画像の上側から画像データを画像データ格納メモリ１２に格納していかなければならず、画像データ格納メモリ１２への画像データの格納順序は実施の形態３と同様となる。
【００４５】
以上のように本実施の形態７によれば、レーザー照射方向Ｌと現像器３の色の配置方向の関係と、画像データ格納メモリ１２の読出し方向と画像データ格納メモリ１２の色の配置方向の関係とが同じであり（Ｋ、Ｃ、Ｍ、Ｙの関係で同じであり）、画像データ格納メモリ１２に画像データを格納する色の順番（Ｋ、Ｃ、Ｍ、Ｙの順番）と読み出す色の順番（Ｋ、Ｃ、Ｍ、Ｙの順番）が同一で、露光器６の露光順序方向Ｌと印字用紙７の搬送方向Ｘが逆方向であるとき、元の画像データ全体のうち一番上のブロック（ブロック１）から画像データ格納メモリ１２に画像データを格納していくようにしたので、画像データ格納メモリ１２に画像データを格納する色の順番と読み出す色の順番の関係と、露光器６の露光順序方向と印字用紙７の搬送方向の関係とに応じた順番、つまり一番上のブロックから画像データが画像データ格納メモリ１２に格納され、画像配置順序の混乱なく現像を行うことができる。
【００４６】
（実施の形態８）
図２３は、本発明の実施の形態８による画像データ格納方法が適用される場合のレーザー照射方向Ｌ、印字用紙搬送方向Ｘ、現像器配置を示す配置方向説明図である。図２３において、トナー像担持体１、現像器３、露光器としてのレーザーユニット６、印字用紙７は図１と同様のものなので、同一符号を付し、説明は省略する。
【００４７】
本実施の形態８による画像データ格納方法について、図２３、図２４を用いて説明する。図２４は画像データ格納メモリにおける各色成分の格納エリアを示す格納配置図である。図２４において、１２は画像データ格納メモリである。
【００４８】
図２３に示すように、本実施の形態８では、印字用紙７の搬送方向Ｘとレーザー照射方向Ｌとが逆方向である。或る１ページの画像を印字しようとする場合にはまず、元の画像データをＹ、Ｍ、Ｃ、Ｋの４色の成分に分解する。次に、各色１回の現像分のブロックに区切る。図２４に示すように画像データ格納メモリ１２はアドレスの小さい方からＫ、Ｃ、Ｍ、Ｙの順に割り当てられているとすると、現像器３の４色のトナーの配置が印字用紙７の進入側からＹ、Ｍ、Ｃ、Ｋの順になっていなければならない。これは、画像データ格納メモリ１２からの画像データの読出しは図２４に示すように右上から１列毎に下へ進み（図２４の▲１▼）、順次左へ進んでいく（▲２▼）ようになっているからであり、これがそのままレーザーの照射につながっているのである。これにより、画像データ格納メモリ１２に格納した画像データ通りの状態で印字用紙７の上側から画像が形成されていく。よって、元の画像の上側から画像データを画像データ格納メモリ１２に格納していかなければならず、画像データ格納メモリ１２への画像データの格納順序は実施の形態３と同様となる。
【００４９】
以上のように本実施の形態８によれば、レーザー照射方向Ｌと現像器３の色の配置方向の関係と、画像データ格納メモリ１２の読出し方向と画像データ格納メモリ１２の色の配置方向の関係とが同じであり（Ｋ、Ｃ、Ｍ、Ｙの関係で同じであり）、画像データ格納メモリ１２に画像データを格納する色の順番（Ｋ、Ｃ、Ｍ、Ｙの順番）と読み出す色の順番（Ｋ、Ｃ、Ｍ、Ｙの順番）が同一で、露光器６の露光順序方向Ｌと印字用紙７の搬送方向Ｘが逆方向であるとき、元の画像データ全体のうち一番上のブロック（ブロック１）から画像データ格納メモリ１２に画像データを格納していくようにしたので、画像データ格納メモリ１２に画像データを格納する色の順番と読み出す色の順番の関係と、露光器６の露光順序方向と印字用紙７の搬送方向の関係とに応じた順番、つまり一番上のブロックから画像データが画像データ格納メモリ１２に格納され、画像配置順序の混乱なく現像を行うことができる。
【００５０】
【発明の効果】
以上のように本発明の画像データ格納方法によれば、レーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が逆で、露光器の露光順序方向と印字用紙の搬送方向が逆方向であるとき、元の画像データ全体のうち一番下のブロックから画像データ格納メモリに画像データを格納していくことにより、画像データ格納メモリに画像データを格納する色の順番と読み出す色の順番の関係と、露光器の露光順序方向と印字用紙の搬送方向の関係とに応じた順番で画像データが画像データ格納メモリに格納されるので、画像配置順序の混乱なく現像を行うことができ、画像を確実に再現できるという有利な効果が得られる。
【００５１】
また、レーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が逆で、露光器の露光順序方向と印字用紙の搬送方向が同一方向であるとき、元の画像データ全体のうち一番上のブロックから画像データ格納メモリに画像データを格納していくことにより、画像データ格納メモリに画像データを格納する色の順番と読み出す色の順番の関係と、露光器の露光順序方向と印字用紙の搬送方向の関係とに応じた順番で画像データが画像データ格納メモリに格納されるので、画像配置順序の混乱なく現像を行うことができ、画像を確実に再現できるという有利な効果が得られる。
【００５２】
さらに、レーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が同じで、露光器の露光順序方向と印字用紙の搬送方向が同一方向であるとき、元の画像データ全体のうち一番下のブロックから画像データ格納メモリに画像データを格納していくことにより、画像データ格納メモリに画像データを格納する色の順番と読み出す色の順番の関係と、露光器の露光順序方向と印字用紙の搬送方向の関係とに応じた順番で画像データが画像データ格納メモリに格納されるので、画像配置順序の混乱なく現像を行うことができ、画像を確実に再現できるという有利な効果が得られる。
【００５３】
さらに、レーザー照射方向と現像器の色の配置方向の関係と、画像データ格納メモリの読出し方向と画像データ格納メモリの色の配置方向の関係とが同じであり、画像データ格納メモリに画像データを格納する色の順番と読み出す色の順番が同じで、露光器の露光順序方向と印字用紙の搬送方向が逆方向であるとき、元の画像データ全体のうち一番上のブロックから画像データ格納メモリに画像データを格納していくこととしたものであり、画像データ格納メモリに画像データを格納する色の順番と読み出す色の順番の関係と、露光器の露光順序方向と印字用紙の搬送方向の関係とに応じた順番で画像データが画像データ格納メモリに格納されるので、画像配置順序の混乱なく現像を行うことができ、画像を確実に再現できるという有利な効果が得られる。
【図面の簡単な説明】
【図１】本発明の実施の形態１による画像データ格納方法が適用される場合のレーザー照射方向、印字用紙搬送方向、現像器配置を示す配置方向説明図
【図２】画像データ格納メモリにおける各色成分の格納エリアを示す格納配置図
【図３】画像データの格納配置を示す格納配置図
【図４】画像データの格納配置を示す格納配置図
【図５】画像データの格納配置を示す格納配置図
【図６】画像データの格納配置を示す格納配置図
【図７】本発明の実施の形態２による画像データ格納方法が適用される場合のレーザー照射方向、印字用紙搬送方向、現像器配置を示す配置方向説明図
【図８】画像データ格納メモリにおける各色成分の格納エリアを示す格納配置図
【図９】本発明の実施の形態３による画像データ格納方法が適用される場合のレーザー照射方向、印字用紙搬送方向、現像器配置を示す配置方向説明図
【図１０】画像データ格納メモリにおける各色成分の格納エリアを示す格納配置図
【図１１】画像データの格納配置を示す格納配置図
【図１２】画像データの格納配置を示す格納配置図
【図１３】画像データの格納配置を示す格納配置図
【図１４】画像データの格納配置を示す格納配置図
【図１５】本発明の実施の形態４による画像データ格納方法が適用される場合のレーザー照射方向、印字用紙搬送方向、現像器配置を示す配置方向説明図
【図１６】画像データ格納メモリにおける各色成分の格納エリアを示す格納配置図
【図１７】本発明の実施の形態５による画像データ格納方法が適用される場合のレーザー照射方向、印字用紙搬送方向、現像器配置を示す配置方向説明図
【図１８】画像データ格納メモリにおける各色成分の格納エリアを示す格納配置図
【図１９】本発明の実施の形態６による画像データ格納方法が適用される場合のレーザー照射方向、印字用紙搬送方向、現像器配置を示す配置方向説明図
【図２０】画像データ格納メモリにおける各色成分の格納エリアを示す格納配置図
【図２１】本発明の実施の形態７による画像データ格納方法が適用される場合のレーザー照射方向、印字用紙搬送方向、現像器配置を示す配置方向説明図
【図２２】画像データ格納メモリにおける各色成分の格納エリアを示す格納配置図
【図２３】本発明の実施の形態８による画像データ格納方法が適用される場合のレーザー照射方向、印字用紙搬送方向、現像器配置を示す配置方向説明図
【図２４】画像データ格納メモリにおける各色成分の格納エリアを示す格納配置図
【図２５】直交転写方式の一般的な画像形成装置を示す構成図
【図２６】直交転写方式の一般的な画像形成装置の転写機構を示す概略斜視図
【図２７】直交転写方式の一般的な画像形成装置の転写機構を示す構成図
【符号の説明】
１  トナー像担持体
２  帯電器
３  現像器
３ａ  トナー
３ｂ  現像ローラ
３ｃ  トナー像
４  クリーニング器
５  除電器
６  露光器（レーザーユニット）
６ａ  露光光線
７  印字用紙
８  転写対向ローラ
９ａ〜９ｃ  トナー像担持体ローラ
１０  転写プレート
１１  用紙搬送ローラ
１２  画像データ格納メモリ
１３  ブロック配置
【図１】
0003637727.tif 000002
【図２】
0003637727.tif 000003
【図３】
0003637727.tif 000004
【図４】
0003637727.tif 000005
【図５】
0003637727.tif 000006
【図６】
0003637727.tif 000007
【図７】
0003637727.tif 000008
【図８】
0003637727.tif 000009
【図９】
0003637727.tif 000010
【図１０】
0003637727.tif 000011
【図１１】
0003637727.tif 000012
【図１２】
0003637727.tif 000013
【図１３】
0003637727.tif 000014
【図１４】
0003637727.tif 000015
【図１５】
0003637727.tif 000016
【図１６】
0003637727.tif 000017
【図１７】
0003637727.tif 000018
【図１８】
0003637727.tif 000019
【図１９】
0003637727.tif 000020
【図２０】
0003637727.tif 000021
【図２１】
0003637727.tif 000022
【図２２】
0003637727.tif 000023
【図２３】
0003637727.tif 000024
【図２４】
0003637727.tif 000025
【図２５】
0003637727.tif 000026
【図２６】
0003637727.tif 000027
【図２７】
0003637727.tif 000028